(57)【特許請求の範囲】
【請求項１】
陳列商品間に挟持される仕切り板と該仕切り板に突出して取り付けられる告知板とからなる表示板であって、
前記仕切り板の前部には子孔が穿設され、前記告知板は、前面に表示部を備え、該表示部の両縁には側面板と押さえ板が順次連設され、押さえ板には押さえ板子孔が穿設され、前記押さえ板は、前記仕切り板を両面から挟んで、子孔と押さえ板子孔とは鳩目で接合され、前記告知板は目線に合わせて回動自在に仕切り板と接合されていることを特徴とする、表示板。
【請求項２】
前記側面板に表示部が設けられていることを特徴とする、請求項１記載の表示板。
【発明の詳細な説明】
【０００１】
【発明の属する技術分野】
本発明は、陳列商品間に挟持される仕切り板と、該仕切り板に突出して取り付けられた告知板とからなる表示板に関するものであり、特に表示部が目線に対して直角な位置を保持できるように仕切り板に接合されている表示板に関する。
【０００２】
【従来の技術】
従来、陳列商品間に挟持される仕切り板に取り付けられる表示板としては、例えば、実開昭５７−１９５１７３号公報、実開平２−１２７２７５号公報等に開示された考案がある。
【０００３】
前者は、仕切り板の一方の端縁を折り曲げて多角柱状の表示部を形成させた考案であり、また、後者は、一端に係合部を備えた仕切り板と、前記係合部において回動しかつ所定角度位置に復帰可能に係止すべく一端に係止部を備えた表示板とからなる表示装置を備えたもので、仕切り板に取り付けられた表示板が何らかの接触で外力が作用して動かされても自重により元の状態に復元することのできる表示装置を備えた仕切り板に関する考案である。
【０００４】
しかしながら、前者の考案は、単に仕切り板の一方の端縁を折り曲げて、例えば三角柱状の表示部を形成させたもので、表示部である三角柱は仕切り板に固定されており、表示部は動くことがなく、一定の位置からでないと表示部に表記された情報を明確に確認することは困難であった。すなわち、目線を移動させないと確認することが困難であった（図４参照）。
【０００５】
また、後者の考案では、仕切り板に取り付けられた表示板が外力の作用で動かされても、表示板をその自重により所定位置に復元することはできても、表示板を自在に回動させることはできない。
【０００６】
一方、包装の世界においても、年齢、性別、身体、言語など人々の様々な特性や違いを超えて、できるだけすべての人に配慮されたデザインを追求するという「ユニバーサルデザイン」の考え方が導入されつつあり、誰にでも公平に使用できることや、使う上での自由度が高いことなどが求められている。
【０００７】
【発明が解決しようとする課題】
本発明の課題とするところは、ユニバーサルデザインの考え方を、仕切り板に取り付けられる告知板に関しても取り入れて、どの高さに設置しても利用する人々の目線に対して表示板が常に直角の位置を保持できるように仕切り板に取り付けた表示板を提供することを課題とする。
【０００８】
【課題を解決するための手段】
【００１２】
本発明の請求項１の発明は、陳列商品間に挟持される仕切り板と該仕切り板に突出して取り付けられる告知板とからなる表示板であって、前記仕切り板の前部には子孔が穿設され、前記告知板は、前面に表示部を備え、該表示部の両縁には側面板と押さえ板が順次連設され、押さえ板には押さえ板子孔が穿設され、前記押さえ板は、前記仕切り板を両面から挟んで、子孔と押さえ板子孔とは鳩目で接合され、前記告知板は目線に合わせて回動自在に仕切り板と接合されていることを特徴とする、表示板である。
【００１３】
このように請求項１の発明においては、仕切り板と告知板とは、仕切り板に設けた子孔と告知板の押さえ板に設けた押さえ板子孔とを鳩目で接合しているので、告知板は簡単に回動させることができ、どの位置に取り付けても人の目線に合わせて告知板の角度を変えて設置することができる。
【００１４】
また、請求項２の発明は、請求項１の発明において、前記側面板に表示部が設けられていることを特徴とする、表示板である。
【００１５】
このように請求項２の発明においては、側面板に表示部が設けられているので、正面からのみならず、斜めの位置からも表示部に告知されている情報を読み取ることができる。
【００１８】
【発明の実施の形態】
本発明の表示板を一実施形態に基づいて以下に詳細に説明する。
本発明の表示板（１）は、例えば、図１、図２に示すように、陳列商品間に挟持される仕切り板（１０）と該仕切り板に突出して取り付けられる告知板（２０）とからなるもので、告知板（２０）が目線に対して直角の位置を保持可能に仕切り板（１０）と接合された構造を有している。
【００１９】
仕切り板（１０）や告知板（２０）の材質は、板紙、プラスチックシート、金属板、ベニア板など、一般的に仕切り板や表示板として使用されている材質であれば特に限定されない。
【００２０】
仕切り板（１０）は、仕切り板部（１１）に折り曲げ線を介して底板（１２）が連設されて構成されている。
底板（１２）は陳列商品の下側に差し込まれて仕切り板（１０）を固定する役割を担う。
図２に示すような二重構造としても良いし、仕切り板部のみを二重にして補強した構成としても良い。
仕切り板部（１１）の前部には小孔（１３）が穿設されている。
【００２１】
告知板（２０）は、正面に表示部（２１）を備え、表示部の両縁には折り曲げ線を介して側面板（２２）が連設されている。
側面板（２２）の表示部が連設されている端縁とは反対側の端縁は、略半分の長さにわたり突出して押さえ板（２３）が形成されている。
正面に設ける表示部（２１）を両端の側面板（２２）より高く突出させても構わない。このことにより表示面積はより増大する。
押さえ板（２３）には押さえ板子孔（２４）が穿設されている。
【００２２】
仕切り板部（１１）の小孔（１３）と押さえ板（２３）の押さえ板子孔（２４）とは、仕切り板と告知板とを表示板に組み立てた際、互いに重なるような位置に配置しておく。
【００２３】
側面板（２２）に表示部を設けても良い。側面板に表示部を設けることにより三方向からの表示が可能になる。
【００２４】
表示板（１）への組み立ては、つぎのようにして行う。
すなわち、先ず、仕切り板（１０）のブランクを折り曲げ線に沿って折り曲げる。
別に告知板（２０）のブランクも折り曲げ線に沿って三角柱状に折り曲げる。折り曲げた告知板（２０）の押さえ板（２３）の間に、先に折り曲げた仕切り板を挟み込み、小孔（１３）と押さえ板子孔（２４）を重ね合わせて鳩目（５）で接合して、仕切り板に告知板が突出して取り付けられた本発明の表示板（１）とする。
【００２５】
仕切り板（１０）と告知板（２０）とは鳩目（５）で接合してあるので、表示部を有する告知板は自在に回動可能になる。
よって、この表示板を陳列商品間に挟んだ際、告知板の角度を使用する人の目線に合わせて自在に変えることができる。
また、この表示板が高い棚板等に陳列された場合でも、低い棚板等に陳列された場合でも、告知板は自在に角度を変えることができるので、表示部である告知板は常に目線に対して直角の位置を保持できる。
【００２６】
なお、仕切り板（１０）と告知板（２０）との接合方法は、鳩目以外に、切り込み等の方法によっても構わない。
【００２７】
【発明の効果】
上記のように、本発明の表示板は告知板が目線に対して直角の位置を保持可能に接合されているし、回動可能に接合されているので、取り付け場所によって一番見やすい角度を設定できる。
表示部分を三面付けにすることによりどの位置からも情報を認識することができる。
どの高さに設置しても人の目線に合わせた角度を設定でき、ユニバーサルデザインの考え方に基づいた表示板である。
【図面の簡単な説明】
【図１】本発明の表示板の一実施例を示す、斜視説明図である。
【図２】本発明の表示板に使用する、（ａ）は仕切り板の一実施例を示す、展開説明であり、（ｂ）は告知板の一実施例を示す、展開説明図である。
【図３】棚板の上段、中段、下段にそれぞれ本発明の表示板を取り付け、その際の目線との角度を図で示した説明図である。
【図４】棚板の上段、中段、下段にそれぞれ従来の表示板を取り付け、その際の目線との角度を図で示した説明図である。
【符号の説明】
１‥‥表示板
５‥‥鳩目
１０‥‥仕切り板
１１‥‥仕切り板部
１２‥‥底板
１３‥‥子孔
２０‥‥告知板
２１‥‥表示部
２２‥‥側面板
２３‥‥押さえ板
２４‥‥押さえ板子孔
５０‥‥従来の表示板
【図１】
0004206657.tif 000002
【図２】
0004206657.tif 000003
【図３】
0004206657.tif 000004
【図４】
0004206657.tif 000005